(57)【要約】本発明は、同じセッションが送信されている隣接セル間の情報の相互交換による信号伝達負荷を最小限にし、高いレベルの信号が発生する場合にＭＢＭＳ隣接セル情報メッセージをサービングセルに送信するために必要とされる送信時間を減少させるシステム及び方法である。ブロードキャスト制御チャネル（ＢＣＣＨ）割り当てに示されたすべてのＢＣＣＨ搬送波は移動局（ＭＳ）によって監視される。最も強い非サービス中の搬送波を有するセルのリストは、ＢＣＣＨ割り当て測定の実行平均期間ごとに更新される。送受信基地局識別コード（ＢＳＩＣ）及びＢＣＣＨ搬送波の隣接セルインデックスは、ネットワークに送信されるアップリンク無線リンク制御／メディアアクセス制御（ＲＬＣ／ＭＡＣ）メッセージに追加される。結果として、ネットワークには、ＢＳＩＣと、移動局の隣接非サービス中ＢＣＣＨ搬送波の隣接セルインデックスとを搬送するアップリンクＲＬＣ／ＭＡＣメッセージを受信する際、移動局が再選択する可能性が最も高いセルの識別情報が供給される。【選択図】図１
2008514048.tif 000002
【特許請求の範囲】
【請求項１】
移動局（Mobile Station；ＭＳ）に対するマルチメディアブロードキャスト／マルチキャストサービス（Multimedia Broadcast/Multicast Service；ＭＢＭＳ）セッションがアクティブであるネットワークにおいて信号伝達負荷を最小限にする方法であって、
前記ＭＢＭＳセッションがアクティブであるセルにおいて前記ＭＢＭＳセッションを監視するステップと、
最も高い信号レベルを有する非サービス中のブロードキャスト制御チャネル（Broadcast Control Channel；ＢＣＣＨ）搬送波を含むセルのリストを更新するステップと、
前記ＭＳから前記ネットワークに送信された、アップリンクの無線リンク制御／メディアアクセス制御（Radio Link Control/Medium Access Control；ＲＬＣ／ＭＡＣ）メッセージ内に、最も高いセル再選択ランクを有する前記非サービス中のセルＢＣＣＨ搬送波を示すステップと、
前記ＭＳからの前記ＲＬＣ／ＭＡＣメッセージの内容に基づき、優先順位つけてＭＢＭＳ隣接セル情報をブロードキャストするステップと、
を含む方法。
【請求項２】
前記監視するステップは、
前記ＭＳがパケットアイドルモードにある間、ＢＣＣＨ割り当てに示されたすべてのブロードキャスト制御チャネル（ＢＣＣＨ）搬送波を監視し、前記パケットアイドルモード中、ＭＢＭＳを含む前記パケットの識別情報が受信されるステップ
を含む、請求項１に記載の方法。
【請求項３】
前記ＭＳから前記ＲＬＣ／ＭＡＣメッセージを受信の際、対応するＭＢＭＳ隣接セル情報を少なくとも前記ＭＳに送信するステップ
を更に含む、請求項１に記載の方法。
【請求項４】
前記ＲＬＣ／ＭＡＣメッセージが、送受信基地局識別コード（ＢＳＩＣ）及びＢＣＣＨ搬送波の隣接セルインデックスを含む、請求項１に記載の方法。
【請求項５】
少なくともブロードキャスト制御チャネル（ＢＣＣＨ）搬送波割り当て測定の所定の実行平均期間ごとである期間中に前記セルのリストが更新される、請求項１に記載の方法。
【請求項６】
ブロードキャスト制御チャネル（ＢＣＣＨ）搬送波が前記ＭＢＭＳセッション中に割り当てられる、請求項１に記載の方法。
【請求項７】
ブロードキャスト制御チャネル（ＢＣＣＨ）搬送波が前記ＭＢＭＳセッション中に割り当てられる、請求項５に記載の方法。
【請求項８】
前記ＲＬＣ／ＭＡＣメッセージが、前記ネットワークに送信されるパケットダウンリンク肯定応答／否定応答（ＡＣＫ／ＮＡＣＫ）メッセージである、請求項５に記載の方法。
【請求項９】
前記ＲＬＣ／ＭＡＣメッセージが、前記監視されているＭＢＭＳセッションに属するＲＬＣデータブロックに対する肯定応答状態を示すため、前記ネットワークに送信されるパケットダウンリンク肯定応答／否定応答（ＡＣＫ／ＮＡＣＫ）メッセージである、請求項１に記載の方法。
【請求項１０】
前記ＲＬＣ／ＭＡＣメッセージが、前記監視されているＭＢＭＳセッションに属するＲＬＣデータブロックに対する肯定応答状態を示すため、前記ネットワークに送信される新たなＲＬＣ／ＭＡＣメッセージである、請求項１に記載の方法。
【請求項１１】
移動局（ＭＳ）に対するＭＢＭＳセッションがアクティブであるネットワークにおいて信号伝達負荷を最小限にするシステムであって、
前記ＭＢＭＳセッションがアクティブであるセルにおいて前記ＭＢＭＳセッションを監視する手段と、
最も高い信号レベルを有する非サービス中のブロードキャスト制御チャネル（ＢＣＣＨ）搬送波を含むセルのリストを更新する手段と、
前記ＭＳから前記ネットワークに送信されたアップリンク無線リンク制御／メディアアクセス制御（ＲＬＣ／ＭＡＣ）メッセージ内に、最も高いセル再選択ランクを有する前記非サービス中のセルＢＣＣＨ搬送波を示す手段と、
前記ＭＳからの前記ＲＬＣ／ＭＡＣメッセージの内容に基づき、優先順位をつけてＭＢＭＳ隣接セル情報をブロードキャストする手段と、
を含むシステム。
【請求項１２】
前記監視する手段は、前記ＭＳがパケットアイドルモードにある間、ＢＣＣＨ割り当てに示されたすべてのブロードキャスト制御チャネル（ＢＣＣＨ）搬送波を監視し、前記パケットアイドルモード中、ＭＢＭＳを含む前記パケットの識別情報が受信される、請求項１１に記載のシステム。
【請求項１３】
前記送信する手段は、前記ＲＬＣ／ＭＡＣメッセージを受信の際、対応のＭＢＭＳ隣接セル情報を前記ＭＳに送信する、請求項１１に記載のシステム。
【請求項１４】
前記ＲＬＣ／ＭＡＣメッセージが、前記監視されているＭＢＭＳセッションに属するＲＬＣデータブロックに対する肯定応答状態を示すため、前記ネットワークに送信されるパケットダウンリンク肯定応答／否定応答（ＡＣＫ／ＮＡＣＫ）メッセージである、請求項１１に記載のシステム。
【請求項１５】
前記ＲＬＣ／ＭＡＣメッセージが、前記監視されているＭＢＭＳセッションに属するＲＬＣデータブロックに対する肯定応答状態を示すため、前記ネットワークに送信されるパケットダウンリンク肯定応答／否定応答（ＡＣＫ／ＮＡＣＫ）メッセージである、請求項１３に記載のシステム。
【請求項１６】
コンピュータ可読プログラムコードを有するコンピュータ使用可能媒体を含む、信号伝達負荷を最小限にするシステムで用いるコンピュータプログラム製品であって、前記コンピュータ可読プログラムコードは、
前記ＭＢＭＳセッションがアクティブであるセルにおいて前記ＭＢＭＳセッションを監視するプログラムコードと、
最も高い信号レベルを有する非サービス中のブロードキャスト制御チャネル（ＢＣＣＨ）搬送波を含むセルのリストを更新するプログラムコードと、
前記ＭＳから前記ネットワークに送信されたアップリンク無線リンク制御／メディアアクセス制御（ＲＬＣ／ＭＡＣ）メッセージ内に、最も高いセル再選択ランクを有する前記非サービス中のセルＢＣＣＨ搬送波を示すプログラムコードと、
前記ＭＳからの前記ＲＬＣ／ＭＡＣメッセージの内容に基づき、優先順位をつけてＭＢＭＳ隣接セル情報をブロードキャストするプログラムコードと
を含むコンピュータプログラム製品。
【請求項１７】
移動局であって、
処理ユニットと、
前記処理ユニットに接続されたメモリと、
前記処理ユニットに接続された表示装置と、
各機構が固有の機能アプリケーションを提供する複数の内部機構であって、前記移動局のハードウェア、ファームウェア及び／またはオペレーティングシステム内に配置されている複数の内部機構と、
前記処理ユニットに接続され、遠隔位置に配置されたコントローラと通信するのに適するセルラー送受信機と、
を備え、
アップリンク無線リンク制御／メディアアクセス制御（ＲＬＣ／ＭＡＣ）メッセージ内に、最も高いセル再選択ランクを有する非サービス中のセルＢＣＣＨ搬送波を示し、前記ＲＬＣ／ＭＡＣメッセージの内容に基づき優先順位をつけてＭＢＭＳ隣接セル情報をブロードキャストするように構成される移動局。
【請求項１８】
前記ＲＬＣ／ＭＡＣメッセージが、送受信基地局識別コード（ＢＳＩＣ）及びＢＣＣＨ搬送波の隣接セルインデックスを含む、請求項１７に記載の移動局。
【請求項１９】
前記ＲＬＣ／ＭＡＣメッセージが、前記監視されているＭＢＭＳセッションに属するＲＬＣデータブロックに対する肯定応答状態を示すため、前記ネットワークに送信されるパケットダウンリンク肯定応答／否定応答（ＡＣＫ／ＮＡＣＫ）メッセージである、請求項１７に記載の移動局。
【請求項２０】
移動局（ＭＳ）に対するＭＢＭＳセッションがアクティブであるネットワークにおいて信号伝達負荷を最小限にする送受信基地局であって、
前記ＭＢＭＳセッションがアクティブであるセルにおいて前記ＭＢＭＳセッションを監視する手段と、
最も高い信号レベルを有する非サービス中のブロードキャスト制御チャネル（ＢＣＣＨ）搬送波を含むセルのリストを更新する手段と、
前記ＭＳから受信されたアップリンク無線リンク制御／メディアアクセス制御（ＲＬＣ／ＭＡＣ）メッセージ内に、最も高いセル再選択ランクを有する前記非サービス中のセルＢＣＣＨ搬送波を示す手段と、
前記ＭＳからの前記ＲＬＣ／ＭＡＣメッセージの内容に基づき優先順位をつけてＭＢＭＳ隣接セル情報をブロードキャストする手段と
を備える送受信基地局。
【請求項２１】
前記ＲＬＣ／ＭＡＣメッセージが、前記監視されているＭＢＭＳセッションに属するＲＬＣデータブロックに対する肯定応答状態を示すため、前記ネットワークに送信されるパケットダウンリンク肯定応答／否定応答（ＡＣＫ／ＮＡＣＫ）メッセージである、請求項２０に記載の送受信基地局。
【発明の詳細な説明】
【技術分野】
【０００１】
本願は、２００４年９月１４日に提出した米国特許仮出願第６０／６０９，７８７号から優先権を主張する。
【０００２】
本発明は、ブロードキャストモード及びマルチキャストモード中、データを送信／受信するシステム及び方法に関し、特に、セッションが送信されている隣接セル間における情報の相互交換による信号伝達負荷を最小限にし、高いレベルの信号が発生する場合にＭＢＭＳ隣接セル情報メッセージをサービングセルに送信するために必要とされる時間を減少させる方法に関する。
【背景技術】
【０００３】
ＭＢＭＳ（Multimedia Broadcast/Multicast Service；マルチメディアブロードキャスト／マルチキャストサービス）は、データが単一ソースエンティティから、特定区域内に位置するユーザ群へ送信される単一方向ポイントツーマルチポイント（ｐ‐ｔ‐ｍ）マルチキャスト／ブロードキャストサービスである。ＭＢＭＳは、単一ソースエンティティからサービス区域内の多数のユーザへのテキスト、音声、写真または映像のようなマルチメディアデータの単一方向ｐ‐ｔ‐ｍ双方向ポイントツーポイント（ｐ‐ｔ‐ｐ）送信の選択を含むことができる。第３世代パートナーシッププロジェクト（3GPP）技術仕様（TS）22.146，「Multimedia Broadcast/Multicast Service; Stage 1」に記述されているように、ＭＢＭＳの目標は、無線マルチキャストとして無線インターフェースを介する単一送信でのｐ‐ｔ‐ｐサービスの複数インスタンスの供給を可能にすることである。所定のＭＢＭＳサービスの「サービス区域」は、これ以降、サービスを利用できる地理的な区域（すなわち、一連のセル）として理解されるべきである。
【０００４】
ＭＢＭＳは、２つのモード、すなわち、ブロードキャストモード及びマルチキャストモードを有する。これら２つのモード間の主な違いは、ブロードキャストモードにおいてサービス区域内のすべてのＭＢＭＳユーザが送信データの受信の対象となるのに対して、マルチキャストモードでは、データの受信に対してサービス区域内のＭＢＭＳユーザのサブセットのみにアドレス指定することができるということである。3GPP TS22.146，「Multimedia Broadcast/Multicast Service; Stage 1」に記述されているように、マルチキャストモードは、一般的に、サービスを受信する前にユーザがマルチキャストグループにサブスクライブするよう要求する。
【０００５】
GP‐042013，「Assisted Cell Change during MBMS p‐t‐m Transmission」，シーメンス，テレコムイタリアＳ．ｐ．Ａ，ボーダフォン，3GPP TSG GERAN#21（カナダ，モントリオール）では、所定のセッションに対する隣接セル内のＭＢＭＳベアラ（ｐ‐ｔ‐ｍチャネル）についての情報をソースセルに供給するための解決策が記述されている。図１に関して、パケットブロードキャスト制御チャネル（Ｐ‐ＢＣＣＨ）情報の獲得中、または、ルーティング区域更新手続き中、移動局（ＭＳ）は、新たなセルが選択されたら直ぐにターゲットセル内でＭＢＭＳデータの受信を再開できることが好ましい。
【０００６】
ＭＢＭＳトラフィックチャネル構成及びＭＢＭＳサービスＩＤ情報は、隣接するセルシステム情報をサービングセルに伝達するのに用いられる従来のパケット隣接セルデータ（ＰＮＣＤ）メッセージのような既存の無線リンク制御／メディアアクセス制御（Radio Link Control/Medium Access Control；ＲＬＣ／ＭＡＣ）メッセージを介して送信される。あるいはまた、ＭＢＭＳトラフィックチャネル構成及びＭＢＭＳサービスＩＤ情報は、ＭＢＭＳトラフィックｐ‐ｔ‐ｍチャネルと関連するパケット関連制御チャネル（ＰＡＣＣＨ）上で送信される新たなメッセージで送信される。本明細書では、新たなメッセージは、ＰＮＣＤメッセージまたは新たなメッセージにかかわらず、ＭＢＭＳ隣接セル情報として定義される。
【０００７】
ＭＢＭＳ隣接セル情報（セルＣ、セッションＳ）は、少なくとも（i）隣接セルＣの識別を可能にし、隣接セルＣにアクセスするパラメータ、（ii）セッションＳがセルＣに送信されるＭＢＭＳベアラ（ｐ‐ｔ‐ｍチャネル）のパラメータ、及び／または、（iii）セッションＳの識別子を含むＭＢＭＳ隣接セル情報メッセージを意味する。この情報は、以下の理由により、すなわち、（i）サービングセルにＭＢＭＳデータの開始を転送した後、利用可能な情報をユーザに可能な限り提供する手段のため、（ii）ＭＢＭＳベアラ（ｐ‐ｔ‐ｍチャネル）が再構成される場合のために、または、特定の隣接セル内に新たなＭＢＭＳサービスの開始が生じた場合のために送信される。このとき、（iii）遅い到着などのためにセルに入る携帯電話やＰＤＡなど移動局が情報を獲得するために情報の周期的反復が必要とされる場合や、（iv）無線インターフェース上で起こりうるエラーを考慮するために情報の反復が更に必要とされる場合は、基地局コントローラ（ＢＳＣ）は、パケット関連制御チャネル（ＰＡＣＣＨ）上に新たなベアラ構成を特定の隣接セルにブロードキャストする。
【０００８】
ブロードキャストモード及びマルチキャストモード中にデータを受信する従来の方法と関連する主な問題は、同じセッションが送信されている隣接セル間の情報の相互交換によって引き起こされる高いレベルの信号伝達負荷である。この信号伝達負荷は、ＢＳＣ間で適用される信号伝達負荷を含むだけでなく、更に重要なことには、各セルの無線インターフェース上の信号伝達負荷をも含む。このことは、システム性能及びデータ処理能力の全体的な減少につながる。例えば、セッションＳが所定のセルＡで継続している場合で、かつ、同じセッションＳが、セルＡに隣接するセルＢで継続している場合、セルＢ内のセッションＳに対するｐ‐ｔ‐ｍ情報のパラメータをセルＡに送信する必要があり、また、セルＡ内のセッションＳに対するｐ‐ｔ‐ｍ情報のパラメータをセルＢに送信する必要がある。言い換えれば、ＭＢＭＳ隣接セル情報（セルＡ，セッションＳ）をセルＢに送信する必要があり、ＭＢＭＳ隣接セル情報（セルＢ，セッションＳ）をセルＡに送信する必要がある。この原則は、前述したように情報が送信される４つの場合のすべてに対して、任意の所定のセルで継続しているセッションの１つ１つに当てはまる。
【０００９】
ブロードキャストモード及びマルチキャストモード中にデータを受信することに関連する、前述の問題によっても暗に示した別の問題は、信号伝達の量が多い程（すなわち、隣接セルの量と、サービングセル及び１つ以上の隣接セルの両方において継続しているセッションの量とが多い程）、すべての必要なＭＢＭＳ隣接セル情報メッセージをサービングセルに送信するためにかかる時間が長くなる。結果として、移動局（ＭＳ）すなわち移動中のＭＳが、新たなセルを再選択する前に、移動先となるセルに対するｐ‐ｔ‐ｍ情報を受信する可能性は低い。従って、ブロードキャストモードまたはマルチキャストモードで隣接セル情報を送信するのに関連するユーティリティは脅かされる。
【００１０】
従って、同じセッションが送信されている隣接セル間の情報の相互交換による信号伝達負荷を最小限にし、高いレベルの信号が発生する場合にＭＢＭＳ隣接セル情報メッセージをサービングセルに送信するために必要とされる時間を減少させる必要がある。
【非特許文献１】3GPP TS22.146 "Multimedia Broadcast/Multicast Service; Stage 1"
【非特許文献２】3GPP TSG GERAN#21 "Assisted Cell Change during MBMS p‐t‐m Transmission"
【発明のまとめ】
【００１１】
本発明は、同じセッションが送信されている隣接セル間の情報の相互交換による信号伝達負荷を最小限にするシステム及び方法に関する。本発明は、高いレベルの信号伝達が発生する場合に、マルチメディアブロードキャスト／マルチキャストサービス（Multimedia Broadcast/Multicast Service；MBMS）隣接セル情報メッセージをサービングセルに送信するために必要とされる時間を減少させることにも関する。本発明によれば、移動局（Mobile Station；MS）には、ＭＳが再選択する可能性が最も高い（複数の）セルに関してネットワークに通知する手段が供給される。適切な場合、ネットワークには、少なくとも１つのセルに対するＭＢＭＳ隣接セル情報メッセージに優先順位を付ける機能と、どのＭＳにおいても当該ＭＳが再選択するセルとして示されていないセルに対してＭＢＭＳ隣接セル情報メッセージを送信する可能性を回避する機能とが供給される。本発明の好適な実施形態では、ネットワークは、少なくとも１つの隣接セルにおいて同じセッションがアクティブである場合にＭＢＭＳ隣接セル情報メッセージに優先順位を付ける。
【００１２】
本発明によれば、基地局識別コード（Base Station Identity Code；BSIC）と、最も高い信号レベルを有する隣接するブロードキャスト制御チャネル（Broadcast Control Channel；BCCH）搬送波の一定数のセルインデックスとが、移動局からネットワークに送信されるアップリンクの無線リンク制御／メディアアクセス制御（Radio Link Control/Medium Access Control；RLC/MAC）メッセージに付加される。結果として、ネットワークがネットワーク内のすべての隣接セルのＭＢＭＳ隣接セル情報を常に送信する必要性は削減される。この場合、最も高い信号レベルを有するＢＣＣＨ搬送波を有するセルの一部だけ、または全部に対し、ＭＢＭＳ隣接セル情報メッセージが提供される。好適な実施形態では、移動局によってレポートされる最も高い信号レベルのＢＣＣＨ搬送波を有するセルの数は６つである。
【００１３】
ＢＳＩＣと、移動局の隣接非サービス中ＢＣＣＨ搬送波の隣接セルインデックスとを搬送するアップリンクＲＬＣ／ＭＡＣ制御メッセージを受信すると、ネットワークは、移動局が再選択する可能性が最も高いセルを知る。この情報に基づいて、ネットワークは、適用可能な場合に（すなわち、同じセッションが隣接セルの１つ以上で継続されている場合に）、これら隣接セルに対するサービングセルにブロードキャストされるMBMS NEIGHBOR CELL INFORMATIONメッセージに優先順位を付けることができる。更に、ネットワークは、前述の情報送信基準の１つが満たされている場合であっても、移動局が再選択しない隣接セルに対してＭＢＭＳ隣接セル情報メッセージを送信する可能性を回避することができる。結果として、ブロードキャストされるＭＢＭＳ隣接セル情報の高速反復が行われる。更に、セルに「遅く」到着する移動局には、必要な情報が迅速に供給される。更に、例えば、１つの特定の隣接セルが１つの移動局に対する再選択候補として現れ、その他のリクエストされた隣接局に対する情報が前に送信された場合、ネットワークは、隣接セル情報が送信される順序のスケジュールを変更することができる。
【００１４】
本発明のその他の目的及び特徴は、添付図面と併せて考慮される以下の詳細な説明から明らかになる。しかし、当然のことながら、図面は、本発明を制限する定義としてではなく例示の目的のためにのみ設計されている。本発明を制限する定義については、特許請求の範囲を参照すべきである。当然のことながら、更に、図面は、本明細書で記述された構造及び手続きを単に概念的に示すものである。
【００１５】
本発明の前述した利点及び特徴、並びにその他の利点及び特徴は、添付図面を参照して、以下に与えられる本発明の好適な実施形態の詳細な説明から明らかになる。
【現在好適な実施形態の詳細な説明】
【００１６】
本発明は、同じセッションが送信されている隣接セル間の情報の相互交換による信号伝達負荷を最小限にするシステム及び方法である。本発明は、高いレベルの信号が発生する場合にＭＢＭＳ隣接セル情報メッセージをサービングセルに送信するために必要とされる送信時間を減少させることにも関する。
【００１７】
図２に関して、図２は、複数の移動端末または局１０を含む例示的な無線通信システム１の一実施形態を示す簡略化ブロック図である。２つの移動局（ＭＳ）１０が示され、一方はＭＳ＃１と指定され、他方はＭＳ＃２と指定されている。図２には、例えば、公衆交換電話網（ＰＳＴＮ）のような通信ネットワークに接続している移動交換局（ＭＳＣ）３と、少なくとも１つの基地局コントローラ（ＢＳＣ）４と、所定の無線インターフェース規格に従って移動局１０へ物理チャネル及び論理チャネルの両方をフォワードまたはダウンリンク方向に送信する複数の送受信基地局（ＢＴＳ）５とを有する例示的なネットワークオペレータ２をも示す。携帯発信アクセスリクエスト及びトラフィックと、本発明を実施する信号とを伝達する逆またはアップリンク通信パスは移動局１０からネットワークオペレータまで存在すると仮定する。ＢＴＳ５は、異なるサイズ、異なる周波数などとすることができるセルを既定する。
【００１８】
無線インターフェース規格は時分割多重アクセス（ＴＤＭＡ）無線インターフェースに準拠することができ、ネットワークを、ユニバーサル移動通信システム（ＵＭＴＳ）ネットワークまたはその他のタイプのネットワークとすることができる。しかし、本発明の教示は、その他のネットワークタイプと同様に符号分割多重アクセス（ＣＤＭＡ）ネットワークにも等しく適用する。
【００１９】
ネットワークオペレータ２は、ショートメッセージサービス（ＳＭＳ）メッセージのような、ＭＳ１０に対するメッセージを受信し転送するメッセージサービスセンター（ＭＳＣＴ）６、または、電子メール及び補足データサービスを含む任意の無線メッセージング技術を含むことができる。更に、画像メッセージ、映像メッセージ、音声メッセージ、テキストメッセージ、実行ファイルなど、及びそれらの組み合わせをネットワークと移動局との間で転送することができるマルチメディアメッセージングサービス（ＭＭＳ）として知られ、開発中にあるようなＳＭＳへの機能強化を用いることができる。
【００２０】
移動局（ＭＳ）１０は、表示装置１４の入力に結合された出力と、キーボードまたはキーパッド１６の出力に結合された入力とを有するマイクロ制御ユニット（ＭＣＵ）１２を典型的に含む。ＭＳ１０を、セルラー、携帯電話またはパーソナルコミュニケータのようなハンドヘルド無線電話と考えることができ、ＭＳ１０は、音声通信を行うマイクロホン及びスピーカ（図示せず）を有することができる。ＭＳ１０を、使用中、別の装置に接続されるカードまたはモジュールにも含めることができる。例えば、ＭＳ１０を、ラップトップまたはノート型コンピュータのような携帯用データプロセッサ、または、ユーザによって装着できるコンピュータ内に使用中取り付けられるＰＣＭＣＩＡまたは類似のタイプのカードまたはモジュールに含めることができる。
【００２１】
ＭＣＵ１２は、オペレーティングプログラムを格納する読み取り専用メモリ（ＲＯＭ）と、必要なデータ、スクラッチパッドメモリ、受信データパケット、及び、送信のために用意されたデータパケットなどを一時的に格納するランダムアクセスメモリ（ＲＡＭ）とを含む何らかのタイプのメモリ１３を含むか、または、これに結合されていると仮定される。メモリ１３は、セルの再選択を実行するＭＳ１０によって用いられる様々なパラメータを格納すると仮定される。
【００２２】
別個の取り外し可能なＳＩＭ（図示せず）をも設けることができる。ＳＩＭは、例えば、好ましい公衆移動網（ＰＬＭＮ）リスト及びその他の加入者関連情報を格納する。ＲＯＭは、本発明の目的のため、本発明の好適な実施形態に従って動作するよう要求されるソフトウェアルーチンをＭＣＵ１２に実行させるようにするプログラムを格納すると仮定される。
【００２３】
ＭＳ１０は、デジタル信号プロセッサ（ＤＳＰ）１８または等価な高速プロセッサと、ネットワークオペレータ２と通信するアンテナ２４に結合された送信機２０及び受信機２２から成る無線送受信機とを含む無線区域をも含む。受信機２２は、セルを再選択する処理に用いられる信号測定を行うために用いられる。
【００２４】
本発明によれば、ＭＳがパケットアイドルモードにある間、ブロードキャスト制御チャネル（ＢＣＣＨ）割り当てに示されたすべてのＢＣＣＨ搬送波は移動局（ＭＳ）１０によって監視され、パケットアイドルモード中、ＭＢＭＳベアラ（ｐ‐ｔ‐ｍ）の識別情報は受信される。最も高い信号レベルを有する非サービス中のＢＣＣＨ搬送波を有するセルのリストは、少なくともＢＣＣＨ搬送波割り当て測定に規定された所定の実行平均期間ごとに更新される。本明細書では、ＭＳが新たなモードで動作すると仮定される。更に、3GPP TS45.008 V6.9.0 (2004‐08) TS「Radio Access Network; Radio subsystem link control」（リリース６）で定義されているように、ＭＳは、最も高い信号レベルを有する非サービングセルの各ＢＣＣＨ搬送波に対するセルの再選択に影響を与えるパラメータを含むＢＣＣＨデータブロックを復号化しようとする。好適な実施形態では、ＭＳがネットワークに示す最も高い信号レベルにある非サービス中のＢＣＣＨ搬送波を有するセルの最大数は６である。
【００２５】
ＭＳ１０は、送受信基地局識別コード（ＢＳＩＣ）及びＢＣＣＨ搬送波の隣接セルインデックスを示す。このことは、これら送受信基地局識別コード（ＢＳＩＣ）及びＢＣＣＨ搬送波の隣接セルインデックスをアップリンク無線リンク制御／メディアアクセス制御（ＲＬＣ／ＭＡＣ）メッセージ例えばパケットダウンリンク肯定応答／否定応答（ＡＣＫ／ＮＡＣＫ）に追加するか、または、ネットワークに送信される新たなメッセージを用いることによって達成される。結果として、ＢＳＩＣと、ＭＳの隣接する非サービス中のＢＣＣＨ搬送波の隣接セルインデックスとを搬送するアップリンクＲＬＣ／ＭＡＣメッセージを受信の際、ＭＳ１０が再選択する可能性が最も高いセルの識別情報がネットワークに供給される。更に、ネットワークは、適用可能な場合に（すなわち、同じセッションが隣接セルの１つ以上で継続されている場合に）、隣接セルに対するサービングセルにブロードキャストされたＭＢＭＳ隣接セル情報メッセージに優先順位を付けることができる。更に、ネットワークは、従来の送信基準の１つが満たされている場合であっても、移動局が再選択しない隣接セルに対してＭＢＭＳ隣接セル情報メッセージを送信する可能性を回避することができる。
【００２６】
図３は、本発明による方法のステップを示すフローチャートである。本発明の方法は、ステップ３００に示されるように、ＭＢＭＳセッションがアクティブであるセルにおいてＭＢＭＳセッションを監視することによって実施される。本明細書では、ＭＳがパケットアイドルモードにある間、ＢＣＣＨ割り当てに示されたすべてのブロードキャスト制御チャネル（ＢＣＣＨ）搬送波は移動局（ＭＳ）によって監視され、パケットアイドルモード中、ＭＢＭＳベアラ（ｐ‐ｔ‐ｍ）の識別情報は受信される。
【００２７】
ステップ３１０に示されるように、最も強い非サービス中の搬送波を有するセルのリストを更新する。この場合、セルのリストは、少なくともＢＣＣＨ搬送波割り当て測定の実行平均期間ごとである所定の期間に更新される。
【００２８】
次に、ステップ３２０に示されるように、ＭＳによってネットワークに送信されたアップリンク無線リンク制御／メディアアクセス制御（ＲＬＣ／ＭＡＣ）メッセージに非サービス中のセルＢＣＣＨ搬送波を追加する。本明細書では、ＭＳは、送受信基地局識別コード（ＢＳＩＣ）及びＢＣＣＨ搬送波の隣接セルインデックスを示す。このことは、これら送受信基地局識別コード（ＢＳＩＣ）及びＢＣＣＨ搬送波の隣接セルインデックスをＲＬＣ／ＭＡＣメッセージ例えばパケットダウンリンク肯定応答／否定応答（ＡＣＫ／ＮＡＣＫ）に追加するか、または、ネットワークに送信される新たなメッセージを用いることによって達成される。好適な実施形態では、６つまでの非サービス中のセルＢＣＣＨ搬送波はＲＬＣ／ＭＡＣメッセージに追加される。
【００２９】
次に、ステップ３３０に示されるように、サービングセルによってブロードキャストされるＭＢＭＳ隣接セル情報メッセージに含まれる（１またはそれ以上の）ＭＢＭＳセッション及び（１またはそれ以上の）隣接セルを決定するための、ネットワークによる判断が行われる。この決定は、前述した移動局レポートと、サービスを受けている移動局（の１つ以上）によって再選択候補となりうる（１以上の）セルにおいて継続している、１以上のＭＢＭＳセッションのネットワーク知識とに基づいて行うことができる。結果として、ネットワークは、サービングセルによってブロードキャストされるＭＢＭＳ隣接セル情報に優先順位を付けることができる。すなわち、たとえあるＭＢＭＳセッションが、隣接セルの１つではあるが、サービス中のセルにおいて当該ＭＢＭＳセッションを受信するいずれの移動局によっても再選択の候補とはならないようなセルからブロードキャストされたとしても、その隣接セル及びＭＢＭＳセッションについてのＭＢＭＳ隣接セル情報はブロードキャストされる必要がない。
【００３０】
従って、本発明の好適な実施形態に適用される本発明の基本となる新規な特徴を図示し、説明し、指摘したが、当然のことながら、示した装置の形式及び細部と、その動作とに様々な省略、置き換え及び変更を、本発明の意図から逸脱することなく当業者によって行うことができる。例えば、同じ結果を達成するようにほぼ同じ機能をほぼ同じように実行するこれらの要素及び／または方法のステップのすべての組み合わせが本発明の範囲内にあることは明確に意図されている。更に、本発明の開示した形式または実施形態のいずれかに関連して図示及び／または説明した構造及び／または要素及び／または方法のステップを、設計選択の一般的な事柄としてその他の開示、説明または提案した形式または実施形態のいずれかに組み入れることができることを認識すべきである。従って、特許請求の範囲によって示されたようにのみ本発明が制限されることを意図する。
【図面の簡単な説明】
【００３１】
【図１】所定のセッションに対する隣接セル間のマルチメディアブロードキャスト／マルチキャスト（ＭＢＭＳ）データの受信を示す例示的な流れ図である。
【図２】本発明の方法が実施される無線通信システムの例示的なブロック図である。
【図３】本発明の一実施形態による方法のステップを示すフローチャートである。
【図１】
2008514048.tif 000003
【図２】
2008514048.tif 000004
【図３】
2008514048.tif 000005